(57)【要約】【課題】遊技者にとって有利な状態の終了を回避するための権利の付与を、当該遊技者にとって有利な状態に移行してからも行うことができるようにして、遊技の単調さを解消し、遊技の興趣をさらに高めることができるようにする。【解決手段】再遊技作動の確率が高いため遊技者にとって有利な状態であるＲＴ１は、ＳＢ１又はＳＢ２に入賞することにより終了する。しかし、ＲＴ１中にＭＢのボーナスゲームが終了すれば、当該ＲＴ１中にＳＢ１又はＳＢ２に内部当籤している事実を報知してもらうことができる。【選択図】図３９
2009072334.tif 000002
【特許請求の範囲】
【請求項１】
複数の図柄が外周面にそれぞれ付されている複数のリールと、
前記各リールにそれぞれ対応して前記図柄を表示する表示窓と、
第１の役、第２の役、再遊技の作動にかかる第３の役、第１のボーナスゲームの作動にかかる第４の役及び前記第１のボーナスゲームとは異なる第２のボーナスゲームの作動にかかる第５の役を含む複数の役を規定する役規定手段と、
前記役規定手段により規定されている前記複数の役ごとに対応している前記表示窓に表示される図柄の組み合わせを規定している図柄組み合わせ規定手段と、
開始操作の検出を行う開始操作検出手段と、
前記開始操作検出手段により行われる開始操作の検出を契機として前記役規定手段により規定される役の中から内部当籤役を決定するための抽籤を行う内部当籤役抽籤手段と、
前記当籤役抽籤手段による抽籤に基づいて内部当籤役を決定する内部当籤役決定手段と、
前記開始操作検出手段により行われる開始操作の検出を契機として前記表示窓に表示される図柄の変動を行う図柄変動手段と、
停止操作の検出を行う停止操作検出手段と、
前記内部当籤役決定手段により決定された内部当籤役と前記停止操作検出手段により行われる停止操作の検出とに基づいて前記表示窓に表示される図柄の変動を停止制御する停止制御手段と、
前記内部当籤役決定手段により前記第３の役に内部当籤し、かつ、前記図柄組み合わせ規定手段に規定されている前記第３の役にかかる図柄の組み合わせが前記表示窓に表示されたことを条件に再遊技の作動を行う再遊技作動手段と、
前記内部当籤役決定手段により前記第４の役に内部当籤し、かつ、前記図柄組み合わせ規定手段に規定されている前記第４の役にかかる図柄の組み合わせが前記表示窓に表示されたことを条件に前記第１のボーナスゲームを作動させる第１のボーナスゲーム作動手段と、
前記内部当籤役決定手段により前記第５の役に内部当籤し、かつ、前記図柄組み合わせ規定手段に規定されている前記第５の役にかかる図柄の組み合わせが前記表示窓に表示されたことを条件に前記第２のボーナスゲームを作動させる第２のボーナスゲーム作動手段と、
前記内部当籤役決定手段により内部当籤し、かつ、前記図柄組み合わせ規定手段に規定されている図柄の組み合わせが前記表示窓に表示された役に応じて所定量の遊技価値を付与する遊技価値付与手段と、
前記第１のボーナスゲーム作動手段による前記第１のボーナスゲームを作動が終了してから、前記第１の役、前記第２の役、前記第４の役又は前記第５の役に内部当籤し、かつ、前記図柄組み合わせ規定手段に規定されている当該内部当籤した前記第１の役、前記第２の役、前記第４の役又は前記第５の役にかかる図柄の組み合わせが前記表示窓に表示されるまでの第１の状態においては、当該第１の状態以外の第２の状態に比べて前記内部当籤役決定手段により前記第３の役に内部当籤する確率を高める再遊技確率変動手段と、
第１の状態中に所定の条件により前記第１の役及び第２の役の少なくとも一方が決定されたことを報知する権利を付与する権利付与手段と、
前記権利付与手段により内部当籤役を報知する権利を付与されているときは、第１の状態中に前記内部当籤役決定手段により前記第１の役及び第２の役の少なくとも一方が決定されたときには当該事実を報知する報知手段と、
を備えていて、
前記複数のリールは、前記第１の役について前記停止操作検出手段による停止操作の検出によっては前記図柄組み合わせ規定手段が規定している図柄の組み合わせを前記表示窓上に表示しないことがあり、前記第２の役について前記停止操作検出手段による停止操作の検出によっては前記図柄組み合わせ規定手段が規定している図柄の組み合わせを前記表示窓上に表示しないことがあり、かつ、前記第１の役にかかる図柄の組み合わせと同時に前記表示窓上に表示しない配置で前記各図柄が配置されている、
ことを特徴とする遊技機。
【請求項２】
前記役規定手段は、第３のボーナスゲームの作動にかかる第６の役を規定しており、
前記内部当籤役決定手段により前記第６の役に内部当籤し、かつ、前記図柄組み合わせ規定手段に規定されている前記第６の役にかかる図柄の組み合わせが前記表示窓に表示されたことを条件に前記第３のボーナスゲームを作動させる第３のボーナスゲーム作動手段をさらに備え、
前記第６の役は前記内部当籤役決定手段により内部当籤すると、当該内部当籤役が決定した単位遊技において前記図柄組み合わせ規定手段に規定されている前記第６の役にかかる図柄の組み合わせが前記停止制御手段により常に停止制御され、
前記権利付与手段は、前記第１の状態中に、前記第６の役に内部当籤し、かつ、前記図柄組み合わせ規定手段に規定されている当該内部当籤している第６の役にかかる図柄の組み合わせが前記表示窓に表示されたときに、前記第１の状態中に前記報知する権利を所定の単位遊技数の間付与するものである、
ことを特徴とする請求項１に記載の遊技機。
【発明の詳細な説明】
【技術分野】
【０００１】
本発明は、いわゆるパチスロ機などの遊技機に関する。
【背景技術】
【０００２】
従来、複数の図柄が夫々の周面に配された複数のリールと、これら各リールに対応するように複数設けられ、前記各リールの周面に配された複数の図柄のうちの一部の図柄を遊技者が視認可能なように表示する表示窓と、メダルが投入されたことを条件に、遊技者による操作（以下、「開始操作」という）に基づいて、リールの回転の開始を要求する信号を出力するスタートスイッチと、遊技者による操作（以下、「停止操作」という）に基づいて、リールの回転の停止を要求する信号をリールの種別に応じて出力するストップスイッチと、これらスタートスイッチ及びストップスイッチにより出力された信号に基づいて、モータの動作を制御し、各リールの回転及びその停止を行う制御部と、を備えた遊技機（いわゆるパチスロ）が知られている。このようなパチスロ機では、前記複数の表示窓により表示される図柄の組合せに基づいて、入賞か否かが判別され、入賞と判別されるとメダルが払い出される。
【０００３】
現在、主流のパチスロ機は、遊技者による開始操作を検出すると、内部的な抽籤を行い、この抽籤の結果と遊技者による停止操作のタイミングとに基づいて、リールの回転を停止するものである。例えば、前述した内部的な抽籤により入賞に係る結果（以下、この内部的な抽籤の結果を「内部当籤役」という）が決定されると、当該入賞が成立するように、遊技者により停止操作が行われた後であってもリールの回転が所定の期間（例えば、１９０ｍｓ）以内で継続し、その後、停止するようになっている。また、入賞に係る内部当籤役が決定されていなければ、入賞が成立しないようにリールの回転が停止するようになっている。つまり、このような遊技機では多くの局面において適切なタイミングでの停止操作（いわゆる「目押し」）が要求され、リールの回転が停止したときに表示窓により如何なる図柄の組合せが表示されるかは、停止操作のタイミング、即ち遊技者の技量に関連する。
【０００４】
また、特許文献１には、当たり遊技中に行う副遊技において、副遊技達成条件を満たした場合には、遊技者にとって有利な状態であるリプレイタイム（ＲＴ）中に当該ＲＴを終了させる条件となるＲＴ終了役を遊技者が外せるように報知を行う遊技機について開示されている。
【特許文献１】特開２００６‐１７５１２１号公報
【発明の開示】
【発明が解決しようとする課題】
【０００５】
しかしながら、特許文献１の遊技機によれば、報知の権利の付与は当たり遊技中にのみ行うため、遊技者にとって有利な状態であるＲＴ中においては当たり遊技中に予め定められた報知回数に機械的に遊技を行うだけであるため単調であり、当該ＲＴ中の遊技の興趣をさらに高めるような工夫がないという不具合があった。
【０００６】
そこで、本発明の目的は、遊技者にとって有利な状態の終了を回避するための権利の付与を、当該遊技者にとって有利な状態に移行してからも行うことができるようにして、遊技の単調さを解消し、遊技の興趣をさらに高めることができるようにすることである。
【課題を解決するための手段】
【０００７】
（１）本発明は、複数の図柄が外周面にそれぞれ付されている複数のリールと、前記各リールにそれぞれ対応して前記図柄を表示する表示窓と、第１の役、第２の役、再遊技の作動にかかる第３の役、第１のボーナスゲームの作動にかかる第４の役及び前記第１のボーナスゲームとは異なる第２のボーナスゲームの作動にかかる第５の役を含む複数の役を規定する役規定手段と、前記役規定手段により規定されている前記複数の役ごとに対応している前記表示窓に表示される図柄の組み合わせを規定している図柄組み合わせ規定手段と、開始操作の検出を行う開始操作検出手段と、前記開始操作検出手段により行われる開始操作の検出を契機として前記役規定手段により規定される役の中から内部当籤役を決定するための抽籤を行う内部当籤役抽籤手段と、前記当籤役抽籤手段による抽籤に基づいて内部当籤役を決定する内部当籤役決定手段と、前記開始操作検出手段により行われる開始操作の検出を契機として前記表示窓に表示される図柄の変動を行う図柄変動手段と、停止操作の検出を行う停止操作検出手段と、前記内部当籤役決定手段により決定された内部当籤役と前記停止操作検出手段により行われる停止操作の検出とに基づいて前記表示窓に表示される図柄の変動を停止制御する停止制御手段と、前記内部当籤役決定手段により前記第３の役に内部当籤し、かつ、前記図柄組み合わせ規定手段に規定されている前記第３の役にかかる図柄の組み合わせが前記表示窓に表示されたことを条件に再遊技の作動を行う再遊技作動手段と、前記内部当籤役決定手段により前記第４の役に内部当籤し、かつ、前記図柄組み合わせ規定手段に規定されている前記第４の役にかかる図柄の組み合わせが前記表示窓に表示されたことを条件に前記第１のボーナスゲームを作動させる第１のボーナスゲーム作動手段と、前記内部当籤役決定手段により前記第５の役に内部当籤し、かつ、前記図柄組み合わせ規定手段に規定されている前記第５の役にかかる図柄の組み合わせが前記表示窓に表示されたことを条件に前記第２のボーナスゲームを作動させる第２のボーナスゲーム作動手段と、前記内部当籤役決定手段により内部当籤し、かつ、前記図柄組み合わせ規定手段に規定されている図柄の組み合わせが前記表示窓に表示された役に応じて所定量の遊技価値を付与する遊技価値付与手段と、前記第１のボーナスゲーム作動手段による前記第１のボーナスゲームを作動が終了してから、前記第１の役、前記第２の役、前記第４の役又は前記第５の役に内部当籤し、かつ、前記図柄組み合わせ規定手段に規定されている当該内部当籤した前記第１の役、前記第２の役、前記第４の役又は前記第５の役にかかる図柄の組み合わせが前記表示窓に表示されるまでの第１の状態においては、当該第１の状態以外の第２の状態に比べて前記内部当籤役決定手段により前記第３の役に内部当籤する確率を高める再遊技確率変動手段と、第１の状態中に所定の条件により前記第１の役及び第２の役の少なくとも一方が決定されたことを報知する権利を付与する権利付与手段と、前記権利付与手段により内部当籤役を報知する権利を付与されているときは、第１の状態中に前記内部当籤役決定手段により前記第１の役及び第２の役の少なくとも一方が決定されたときには当該事実を報知する報知手段と、を備えていて、前記複数のリールは、前記第１の役について前記停止操作検出手段による停止操作の検出によっては前記図柄組み合わせ規定手段が規定している図柄の組み合わせを前記表示窓上に表示しないことがあり、前記第２の役について前記停止操作検出手段による停止操作の検出によっては前記図柄組み合わせ規定手段が規定している図柄の組み合わせを前記表示窓上に表示しないことがあり、かつ、前記第１の役にかかる図柄の組み合わせと同時に前記表示窓上に表示しない配置で前記各図柄が配置されている、ことを特徴とする遊技機である。
【０００８】
この発明によれば、遊技者にとって有利な状態である第１の状態は、第１の役又は第２の役に入賞することにより終了する。しかし、第１の状態中に所定の条件を満たせば、当該第１の状態中に第１の役又は第２の役に内部当籤している事実を報知してもらうことができるので、遊技者は第１の状態が第１の役又は第２の役の入賞により終了することを防止することができる。このように、遊技者にとって有利な第１の状態の終了を回避するための権利の付与を、第１の状態に移行してからも行うことができるので、第１の状態中の遊技の単調さを解消し、遊技の興趣をさらに高めることができる。
【０００９】
（２）この場合に、前記役規定手段は、第３のボーナスゲームの作動にかかる第６の役を規定しており、前記内部当籤役決定手段により前記第６の役に内部当籤し、かつ、前記図柄組み合わせ規定手段に規定されている前記第６の役にかかる図柄の組み合わせが前記表示窓に表示されたことを条件に前記第３のボーナスゲームを作動させる第３のボーナスゲーム作動手段をさらに備え、前記第６の役は前記内部当籤役決定手段により内部当籤すると、当該内部当籤役が決定した単位遊技において前記図柄組み合わせ規定手段に規定されている前記第６の役にかかる図柄の組み合わせが前記停止制御手段により常に停止制御され、前記権利付与手段は、前記第１の状態中に、前記第６の役に内部当籤し、かつ、前記図柄組み合わせ規定手段に規定されている当該内部当籤している第６の役にかかる図柄の組み合わせが前記表示窓に表示されたときに、前記第１の状態中に前記報知する権利を所定の単位遊技数の間付与するものである、ことを特徴とするようにしてもよい。
【００１０】
この発明によれば、第１の状態中に、内部当籤すれば必ず作動する第３のボーナスゲームの作動によっても、当該第１の状態中の内部当籤役を報知する権利が付与されるので、第１の状態中に第３のボーナスゲームが作動すれば遊技価値を増やすことができる特典が得られ、第１の状態中の第３のボーナスゲームの作動の楽しみが増えて、第１の状態の遊技の単調さを解消し、遊技の興趣をさらに高めることができる。
【発明の効果】
【００１１】
本発明によれば、遊技者にとって有利な状態の終了を回避するための権利の付与を、当該遊技者にとって有利な状態に移行してからも行うことができるようにして、遊技の単調さを解消し、遊技の興趣をさらに高めることができる。
【発明を実施するための最良の形態】
【００１２】
以下、本遊技機の構成と動作について詳細に説明する。
［外観構成について］
図１は、本実施の形態である遊技機１の外観斜視図である。本実施形態の遊技機１は、いわゆるパチスロ機である。この遊技機１は、コイン、メダル、遊技球又はトークンなどの他、遊技者に付与された、又は付与される遊技価値の情報を記憶したカード等の遊技媒体を用いて遊技する遊技機であるが、以下では遊技媒体としてメダルを用いるものとして説明する。
【００１３】
遊技機１の前面ドア２の正面には、略垂直面のパネル表示部２ａ、液晶表示部２ｂ、及び固定表示部２ｃが設けられている。また、前面ドア２の背後には、複数種類の図柄が各々の外周面に表示された３個のリール３Ｌ，３Ｃ，３Ｒ（左リール３Ｌ、中リール３Ｃ、右リール３Ｒ）が、回転自在に横一列に配置されている。この各リール３Ｌ，３Ｃ，３Ｒは、一定の速度で回転する（例えば、８０回転／分）。また、液晶表示部２ｂには表示装置となる透過型の液晶表示装置５（図３、図４参照）が設けられている。この液晶表示装置５はリール３Ｌ，３Ｃ，３Ｒの前面においても画像の表示が可能である。
【００１４】
パネル表示部２ａ、液晶表示部２ｂ、及び固定表示部２ｃの下方には略水平面の台座部４が設けられている。台座部４向かって右側と中央には、メダルを投入するためのメダル投入口１０が設けられている。投入されたメダルは、クレジットされるか、ゲームに賭けられる。また、台座部４の左側には、押下操作により、クレジットされているメダルを賭けるための１−ＢＥＴスイッチ１１、２−ＢＥＴスイッチ１２、及び最大ＢＥＴスイッチ１３が設けられている。
【００１５】
１−ＢＥＴスイッチ１１は、１回の押下操作により、クレジットされているメダルのうちの１枚がゲームに賭けられ、２−ＢＥＴスイッチ１２は、１回の押下操作により、クレジットされているメダルのうちの２枚がゲームに賭けられ、最大ＢＥＴスイッチ１３は、１回のゲームに賭けることが可能な最大枚数（本実施形態では３枚）のメダルが賭けられる。
【００１６】
これらのＢＥＴスイッチ１１〜１３を操作することで、後述の表示ラインが有効化される。ＢＥＴスイッチ１１〜１３の操作及びメダル投入口１０にメダルを投入する操作（遊技を行うためにメダルを投入する操作）を、以下「ＢＥＴ操作」という。
【００１７】
台座部４の左下方向には、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出ロ１５からメダルが払出され、払出されたメダルはメダル受け部５に貯留される。メダル受け部５の上方の左右には、遊技の演出に関する効果音などを出力するスピ−カ２１Ｌ，２１Ｒが設けられている。
【００１８】
Ｃ／Ｐスイッチ１４向かって右側には、遊技者の操作によりリール３Ｌ，３Ｃ，３Ｒを回転させ、図柄表示領域２１Ｌ，２１Ｃ，２１Ｒ（図２）内での図柄の変動表示を開始するためのスタートレバー６が取り付けられている。
【００１９】
台座部４の前面部中央でスタートレバー６の右側には、３個のリール３Ｌ，３Ｃ，３Ｒの回転をそれぞれ停止させるための３個のストップボタン７Ｌ，７Ｃ，７Ｒ（左ストップボタン７Ｌ、中ストップボタン７Ｃ、右ストップボタン７Ｒ）が設けられている。なお、本実施の形態では、１ゲーム（単位遊技）は、基本的に、スタートレバー６が操作されることにより開始し、全てのリール３Ｌ，３Ｃ，３Ｒが停止したときに終了する。
【００２０】
また、本実施の形態では、全てのリール３Ｌ，３Ｃ，３Ｒが回転しているときに行われるリールの停止操作（ストップボタンの操作）を第１停止操作、第１停止操作の次に行われる停止操作を第２停止操作、第２停止操作の次に行われる停止操作を第３停止操作という。また、各ストップボタン７Ｌ，７Ｃ，７Ｒの裏側には、それぞれ停止スイッチ（図示せず）が配置されている。これらの各停止スイッチは、対応するストップボタンの操作（停止操作）を検知する。
【００２１】
操作部１７は、遊技者から各種操作を受け付ける。
【００２２】
［表示部について］
次に、図２を参照して、パネル表示部２ａ、液晶表示部２ｂ、及び固定表示部２ｃについて説明する。
【００２３】
パネル表示部２ａは、ボ−ナス遊技情報表示部１６、ＢＥＴランプ９ａ〜９ｃ、払出表示部１８、及びクレジット表示部１９により構成される。ボ−ナス遊技情報表示部１６は、７セグメントＬＥＤからなり、ボーナス中の遊技情報を表示する。１−ＢＥＴランプ９ａ、２−ＢＥＴランプ９ｂ及び最大ＢＥＴランプ９ｃは、１ゲームを行うために賭けられたメダルの数（以下「ＢＥＴ数」という）に応じて点灯する。
【００２４】
１−ＢＥＴランプ９ａは、ＢＥＴ数が１枚のときに点灯する。２−ＢＥＴランプ９ｂは、ＢＥＴ数が２枚のときに点灯する。最大ＢＥＴランプ９ｃは、ＢＥＴ数が３枚のときに点灯する。払出表示部１８ａ及びクレジット表示部１８ｂ（併せて情報表示部１８）は、それぞれ７セグメントＬＥＤからなり、入賞が成立したときのメダルの払出枚数及びクレジットされているメダルの枚数を表示する。
【００２５】
液晶表示部２ｂは、図柄表示領域２１Ｌ，２１Ｃ，２１Ｒ、窓枠表示領域２２Ｌ，２２Ｃ，２２Ｒ、及び演出表示領域２３により構成される。この液晶表示部２ｂの表示内容は、リール３Ｌ，３Ｃ，３Ｒの回転及び停止態様、及び液晶表示装置５（図３、図４参照）の動作により変化する。
【００２６】
図柄表示領域２１Ｌ，２１Ｃ，２１Ｒは、各リール３Ｌ，３Ｃ，３Ｒに対応して設けられ、リール３Ｌ，３Ｃ，３Ｒ上に配置された図柄の表示や、種々の演出表示を行う。
【００２７】
図柄表示領域２１Ｌ，２１Ｃ，２１Ｒには、表示ラインとして、水平方向にトップライン８ｂ、センターライン８ｃ及びボトムライン８ｄ、並びに、斜め方向にクロスアップライン８ａ及びクロスダウンライン８ｅが設けられている。これら５本の表示ラインは、遊技者が、ＢＥＴスイッチ１１〜１３を押下操作すること、又はメダル投入口１０にメダルを投入することにより、ＢＥＴ数に応じた数のものが有効化される（「有効ライン」となる）。表示ラインが有効化されたか否かは、ＢＥＴランプ９ａ，９ｂ，９ｃの点灯、不点灯で表示される。この表示ライン８ａ〜８ｅは、入賞の成否に関わる。
【００２８】
ここで、表示窓となる各図柄表示領域２１Ｌ，２１Ｃ，２１Ｒには、それぞれ縦方向（垂直方向）に３ヵ所（上段、中段、下段）の図柄停止位置が設けられている。各図柄表示領域２１Ｌ，２１Ｃ，２１Ｒにおける図柄の変動表示（移動表示）が停止した場合には、各図柄表示領域２１Ｌ，２１Ｃ，２１Ｒに設けられた図柄停止位置の各々に図柄が停止表示される。各表示ラインは、各図柄表示領域２１Ｌ，２１Ｃ，２１Ｒ内の図柄停止位置を結んでいる。
【００２９】
図柄表示領域２１Ｌ，２１Ｃ，２１Ｒは、少なくとも、対応するリール３Ｌ，３Ｃ，３Ｒが回転中のとき、及び対応するストップボタン７Ｌ，７Ｃ，７Ｒが押下操作可能なとき、遊技者がリール３Ｌ，３Ｃ，３Ｒ上の図柄を視認できるように、透過状態となる。
【００３０】
窓枠表示領域２２Ｌ，２２Ｃ，２２Ｒは、各図柄表示領域２１Ｌ，２１Ｃ，２１Ｒを囲むように設けられ、リール３Ｌ，３Ｃ，３Ｒの前面に配置された図柄表示領域２１Ｌ，２１Ｃ，２１Ｒの窓枠を表したものである。
【００３１】
演出表示領域２３は、液晶表示部２ｂの領域のうち、図柄表示領域２１Ｌ，２１Ｃ，２１Ｒ及び窓枠表示領域２２Ｌ，２２Ｃ，２２Ｒ以外の領域である。固定表示部２ｃは、予め定めた図や絵などが描かれている領域である。この固定表示部２ｃに描かれた図や絵などと、演出表示領域２３に表示された画像とを連接させることにより、一つの静止画像又は動画像を表示できるようにしても良い。
【００３２】
後述の液晶表示装置５（図３、図４参照）は、リール３Ｌ，３Ｃ，３Ｒの表示領域より遊技機１の正面から見て手前側（表示面よりも手前側）に設けられている。また、リール３Ｌ，３Ｃ，３Ｒと液晶表示装置５とは別体で（例えば所定の間隔をあけて）設けられている。
【００３３】
［ハードウェア構成について］
次に、図３を参照して、主制御回路７１、副制御回路７２、主制御回路７１及び副制御回路７２と電気的に接続する周辺装置（アクチュエータ）を含む遊技機１の回路構成について説明する。
【００３４】
主制御回路７１は、回路基板上に配置されたマイクロコンピュータ３０を主たる構成要素とし、これに乱数サンプリングのための回路を加えて構成されている。マイクロコンピュータ３０は、ＣＰＵ３１、記憶手段であるＲＯＭ３２及びＲＡＭ３３により構成されている。ＲＯＭ３２には、ＣＰＵ３１により実行される制御プログラム、後述の各種テーブル等の固定データが記憶されている。ＲＡＭ３３には、後述の各種格納領域等が設けられ、種々のデータが記憶される。
【００３５】
ＣＰＵ３１には、クロックパルス発生回路３４、分周器３５、乱数発生器３６及びサンプリング回路３７が接続されている。クロックパルス発生回路３４及び分周器３５は、基準クロックパルスを発生する。発生させた基準クロックパルスに基づいて、後述の割込処理などが行われる。乱数発生器３６は、一定の範囲の乱数（例えば、０〜６５５３５）を発生する。サンプリング回路３７は、乱数発生器３６により発生した乱数から１つの乱数値を抽出（サンプリング）する。
【００３６】
図３の回路において、マイクロコンピュータ３０からの制御信号により動作が制御される主要なアクチュエータとしては、ベットランプ９ａ、９ｂ、９ｃ、情報表示部１８、ホッパー４０、ステッピングモータ４９Ｌ、４９Ｃ、４９Ｒ等がある。また、マイクロコンピュータ３０の各出力ポートには、ＣＰＵ３１から出力される制御信号を受けて、各アクチュエータの動作を制御するための各回路がそれぞれ接続されている。各回路としては、モータ駆動回路３９、ランプ駆動回路４５、表示部駆動回路４８及びホッパー駆動回路４１がある。
【００３７】
ランプ駆動回路４５は、ベットランプ９ａ、９ｂ、９ｃの点灯や消灯の制御を行う。表示部駆動回路４８は、情報表示部１８による各種情報（払出枚数、クレジット枚数等）の表示の制御を行う。ホッパー駆動回路４１は、ホッパー４０によるメダルの払い出しの制御を行う。モーダ駆動回路３９は、主制御回路７１からのパルスをステッピングモータ４９Ｌ、４９Ｃ、４９Ｒに対して出力することによって、ステッピングモータ４９Ｌ、４９Ｃ、４９Ｒの駆動を制御し、リール３Ｌ、３Ｃ、３Ｒの回転及びその停止の制御を行う。
【００３８】
ここで、本実施の形態では、リールが一回転したことを示すリールインデックスが後述のリール位置検出回路５０により検出されてから、ステッピングモータ４９Ｌ、４９Ｃ、４９Ｒに対してパルスを出力した回数を計数することによって、リールインデックスが検出される位置を基準とするリールの回転角度を検出することとしている。また、ステッピングモータ４９Ｌ、４９Ｃ、４９Ｒの回転を所定の減速比をもってリール３Ｌ、３Ｃ、３Ｒに伝達するギア（図示せず）が設けられており、ステッピングモータ４９Ｌ、４９Ｃ、４９Ｒに対して１６回のパルスの出力が行われることによって、リールの周囲に配された図柄１つ分のリールの回転が行われる構成となっている。
【００３９】
具体的には、前述のステッピングモータ４９Ｌ、４９Ｃ、４９Ｒに対して出力されたパルスの数は、ＲＡＭ３３のパルスカウンタによって計数され、パルスカウンタにより１６回のパルスの出力が計数される毎に、ＲＡＭ３３の図柄カウンタが１ずつ加算される。また、図柄カウンタは、リールインデックスが検出される毎にその値がクリアされる。
【００４０】
ここで、前述のリールの周面に配された各図柄には、リールの回転方向から順に、夫々を識別するための図柄位置「０」〜「２０」が規定されている。そして、図柄位置「０」に対応する図柄がセンターライン８ｂ（より正確には、各図柄表示領域２１Ｌ，２１Ｃ，２１Ｒ内の縦方向における中段の領域の中心部）に位置するように、後述のリール位置検出回路５０によってリールインデックスが検出される構成となっている。即ち、リールインデックスの検出により図柄カウンタの値が「０」になる際に、図柄位置「０」に対応する図柄がセンターライン８ｂに位置することとなり、この結果、図柄カウンタと図柄位置とが対応付けられる。従って、図柄カウンタを参照することにより、センターライン８ｂに位置する図柄を特定することが可能となる。
【００４１】
また、マイクロコンピュータ３０の各入力ポートには、スイッチ類等がそれぞれ接続されており、前述のアクチュエータ等の制御が行われる契機となる所定の信号を入力する。具体的には、スタートスイッチ６Ｓ、ストップスイッチ７Ｓ、１‐ベットスイッチ１１Ｓ、２‐ベットスイッチ１２Ｓ、最大ベットスイッチ１３Ｓ、Ｃ／Ｐスイッチ１４Ｓ、設定変更スイッチ１９Ｓ、リセットスイッチ２０Ｓ、メダルセンサ２２Ｓ、リール位置検出回路５０、払出完了信号回路５１が接続されている。また、図示を省略しているが、電源ボタンに対する管理者の操作に基づいて、遊技機１に対する電源の供給及び遮断を行うための電源スイッチも設けられている。
【００４２】
スタートスイッチ６Ｓは、スタートレバー６に対する遊技者の傾動操作（即ち、開始操作）を検出し、検出した信号をマイクロコンピュータ３０に出力する。ストップスイッチ７Ｓは、各ストップボタン７Ｌ、７Ｃ、７Ｒに対する遊技者の押圧操作（即ち、停止操作）を夫々検出し、検出した信号をマイクロコンピューク３０に出力する。１‐ベットスイッチ１１Ｓ、２‐ベットスイッチ１２Ｓ及び最大ベットスイッチ１３Ｓは、１‐ベットボタン１１、２‐ベットボタン１２及び最大ベットボタン１３の夫々に対する遊技者の押圧操作（即ち、投入操作）を検出し、検出した信号をマイクロコンピューク３０に出力する。メダルセンサ２２Ｓは、遊技者の操作によりメダル投入口２２に投入されたメダルを検出し、検出した信号をマイクロコンピュータ３０に出力する。
【００４３】
Ｃ／Ｐスイッチ１４Ｓは、Ｃ／Ｐボタン１４に対する遊技者の押圧操作を検出し、検出した信号をマイクロコンピュータ３０に出力する。リール位置検出回路５０は、例えば発光部と受光部とを有する光センサにより、リールが一回転したことを示すリールインデックスをリール３Ｌ、３Ｃ、３Ｒ毎に検出し、検出した信号をマイクロコンピュータ３０に出力する。払出完了信号回路５１は、メダル検出部４０Ｓの動作により、払出枚数が所定枚数に達したか否かを検出し、検出した信号をマイクロコンピュータ３０に出力する。
【００４４】
設定変更スイッチ１９Ｓは、設定変更ボタンに対する管理者の操作を検出し、検出した信号をマイクロコンピュータ３０に出力する。リセットスイッチ２０Ｓは、リセットボタンに対する管理者の操作を検出し、検出した信号をマイクロコンピュータ３０に出力する。設定値は、遊技者にとっての有利さの度合いを区別するための指標となるデータである。即ち、後述の内部当籤役の当籤確率等に関わり、遊技者及び遊技店舗の利益に関わるデータである。特典の付与に係る内部当籤投の当籤確率等が高いほど、より多くのメダルを獲得することができる可能性が生じるので、遊技者にとっては有利となる。本実施の形態では、設定値として「１」〜「６」の６段階が設けられており、スタートスイッチ６Ｓ、設定変更スイッチ１９Ｓ及びリセットスイッチ２０Ｓの入力に基づいて、これらのうち何れかがＲＡＭ３３の設定値格納領域に格納される。
【００４５】
次に、副制御回路７２の回路構成について説明する。主制御回路７１は、遊技の進行など遊技全体を制御するものであるのに対し、副制御回路７２は、画像の表示や音・ランプの出力などにより遊技に関する演出を制御するものである。主制御回路７１と副制御回路７２とはハーネスなどにより電気的に接続されており、副制御回路７２は、主制御回路７１から送信された各種コマンド（後述するスタートコマンドなど）に基づいて演出内容の決定や実行などの各種処理を行う。
【００４６】
副制御回路７２は、詳細は後述するが、シリアルポートを介して主制御回路７１から送信されたコマンドに基づき、サブＲＯＭ内に記憶された制御プログラムに従って、演出データの決定や、その出力などの各種処理を行う。
【００４７】
副制御回路７２により動作が制御される主要なアクチュエータとしては、液晶表示装置５、スピーカ２１Ｌ、２１Ｒ、ＬＥＤ１０１及びランプ１０２がある。副制御回路７２は、決定した演出データに基づいて、液晶表示装置５に画像の表示を行わせ、ＬＥＤ１０１やランプ１０２に点灯パターンの出力を行わせ、スピーカ２１Ｌ、２１Ｒに演出音や効果音の出力を行わせる。また、副制御回路７２には、操作部１７と音量調節部１０３が接続されており、これらから出力される信号に基づいて画像や音の出力を行う。
【００４８】
図４は、副制御回路７２の電気的な接続を示すブロック図である。副制御回路７２は、画像制御回路２０１と音・ランプ制御回路２０２とからなる。
【００４９】
画像制御回路２０１では、主制御回路７１から送信されるコマンドはシリアルポート２１１を介して画像制御マイコン２１２が受信する。画像制御マイコン２１２は、ＣＰＵを備え、液晶表示装置５の画像表示を制御する。プログラムＲＯＭ２１３は、画像制御マイコン２１２が実行する各種制御プログラムを格納しており、ワークＲＡＭ２１４は、画像制御マイコン２１２のワークエリアとなる。カレンダＩＣ２１５は、カレンダ機能を有する回路である。
【００５０】
画像制御ＩＣ２２１は、画像制御マイコン２１２の制御により液晶表示装置５の画像表示を制御する駆動回路である。画像ＲＯＭ２２２には、液晶表示装置５に表示する演出などの動画像データが格納されている。画像制御ＩＣ２２１は、制御ＲＡＭ２２３、ビデオＲＡＭ２２４をワークエリアとして使用し、画像ＲＯＭ２２２に格納されている各種動画像データを液晶表示装置５に表示する。
【００５１】
操作部１７で行う各種の操作は画像制御マイコン２１２に伝えられる。
【００５２】
主制御回路７１から送信されるコマンドはシリアルポート２３１を介して音・ランプ制御回路２０２の音・ランプ制御マイコン２３２でも受信する。音・ランプ制御マイコン２３２は、ＣＰＵを備え、ＬＥＤ類２３２、ランプ類２３３、スピーカ類２１Ｌ，２１Ｒを制御する。プログラムＲＯＭ２３３は、音・ランプ制御マイコン２３２が実行する各種制御プログラムを格納している。ワークＲＡＭ２３４は、音・ランプ制御マイコン２３２のワークエリアとなる。
【００５３】
音源ＲＯＭ２３５は、スピーカ類２１Ｌ，２１Ｒから出力する各種音声データを格納している。音源ＩＣ２３６は、スピーカ類２１Ｌ，２１Ｒから音を出力するパワーアンプ２３７の駆動回路である。音量調節部１０３で行う各種の操作は音・ランプ制御マイコン２３２に伝えられ、スピーカ類２１Ｌ，２１Ｒの音量調節を行うことができる。
【００５４】
［主要な各種テーブル、各種格納領域について］
次に、主制御回路７１で使用する主要な各種テーブル、各種格納領域などについて説明する。
【００５５】
図５を参照して、図柄配置テーブルについて説明する。
【００５６】
図柄配置テーブルは、各リール３Ｌ、３Ｃ、３Ｒの周囲に配された図柄の構成をデータとして表したものである。図柄配置テーブルには、リールインデックスが検出されたときに、各図柄表示領域２１Ｌ，２１Ｃ，２１Ｒの中段に位置する図柄を図柄位置「０」として、前述の図柄カウンタと対応する図柄位置「０」〜「２０」と、各図柄位置に対応する図柄の種別とが規定されている。各図柄の種別は、１バイトのデータにより表される。従って、図柄配置テーブルと図柄カウンタとに基づいて、各リール３Ｌ、３Ｃ、３Ｒの図柄表示領域２１Ｌ，２１Ｃ，２１Ｒの中段に位置する図柄や、これに隣接する図柄なども特定可能となる。
【００５７】
次に、図６を参照して、主制御回路７１の内部抽籤テーブル決定テーブルについて説明する。
【００５８】
内部抽籤テーブル決定テーブルでは、ＲＡＭ３３の遊技状態格納領域に格納されている遊技状態の種別に応じて決定される内部抽籤テーブルの種別と抽籤回数とが規定されている。一般遊技状態では、一般遊技状態用内部抽籤テーブルが決定され、基本的に、抽籤回数が１０に決定される。ＲＢ（レギュラーボーナス）遊技状態では、ＲＢ遊技状態用内部抽籤テーブルが決定され、抽籤回数が４に決定される。
【００５９】
ボーナスゲームとしては、ビッグボーナス（ＢＢ）となるＢＢ１、ＢＢ２と、ＭＢ（ミドルボーナス）と、シングルボーナス（ＳＢ）となるＳＢ１、ＳＢ２とがある。ＢＢ１、ＢＢ２にはいわゆるボーナスフラグ間が存在するのに対して、ＭＢはボーナスフラグ間がなく、ＭＢが成立したゲームでただちにＭＢが作動する（そのような図５の図柄配置がなされ、停止制御がなされる）。ＳＢ１、ＳＢ２は、１ゲームのみ継続する。ＳＢ１、ＳＢ２においては、この１ゲームだけ小役（後述の白チェリー、黒チェリー）の当選確率を通常より高めるという利益が付与される。図５の図柄配置テーブルにおいて、第３停止を右リール３Ｃとした場合に、図柄位置「８」〜「１６」の周辺を停止開始位置としたときは、後述のＳＢ１の入賞図柄である青７が有効ライン上に停止制御され、ＳＢ１に入賞することができる。また、図柄位置「２０」「０」〜「４」の周辺を停止開始位置としたときは、後述のＳＢ２の入賞図柄である白７が有効ライン上に停止制御され、ＳＢ２に入賞することができる。
【００６０】
次に、図７〜図１０を参照して、主制御回路７１の内部抽籤テーブルについて説明する。
【００６１】
内部抽籤テーブルにおいては、当籤番号ごとに割り当てられた抽籤値及びデータポインタが規定されている。データポインタは、小役・リプレイ用のものとボーナス用のものの２種類が規定されている。
【００６２】
内部抽籤テーブルでは、前述の内部抽籤テーブル決定テーブル等に基づいて決定される抽籤回数と同じ数の当籤番号が最初に選択される。そして、「０〜６５５３５」の数値範囲より抽出された乱数値から現在の当籤番号に対応している抽籤値を減算し、これにより桁かりが行われれば当該当籤番号に対応している小役・リプレイ用とボーナス用のデータポインタを選択する。桁かりが行われなければ現在の当籤番号に「１」を加算して、当該加算後の当籤番号に対応している抽籤値を減算後の値からさらに減算し、これにより桁かりが行われれば当該当籤番号に対応している小役・リプレイ用とボーナス用のデータポインタを選択する。桁かりが行われなければ現在の当籤番号に「１」を加算する。以下、同様の処理を桁かりが行われるか、抽籤回数まで減算が行われるまで繰り返す。このように、内部抽籤テーブルは、小役・リプレイ用とボーナス用のデータポインタを決定するための抽籤を行うためのテーブルである。そして、小役・リプレイ用とボーナス用のデータポインタは、後述の内部当籤役決定テーブルによって当たり要求フラグを特定するためのデータであり、当たり要求フラグは内部当籤役を特定するためのデータである。
【００６３】
図７は、一般遊技状態において使用する一般遊技状態用内部抽籤テーブルを示す。図７は、前述の設定値が１の場合の内部抽籤テーブルであり、一般遊技状態でのメダルの投入枚数は３となる。一般遊技状態用内部抽籤テーブルでは、小役、リプレイの他、ボーナスゲームの作動にかかるＢＢ（ビッグボーナス）１、ＢＢ２、ＭＢ、ＳＢ１、ＳＢ２の抽籤も行う。
【００６４】
図８は、ＲＢ遊技状態において使用するＲＢ遊技状態用内部抽籤テーブルを示す。図８は、前述の設定値につき全設定値共通の内部抽籤テーブルであり、ＲＢ遊技状態でのメダルの投入枚数は２となる。ＲＢ遊技状態用内部抽籤テーブルでは、後述の小役・リプレイ用内部当籤役決定テーブルに示すように、ほとんどの場合に小役・リプレイ用データポインタ５の白チェリーと黒チェリーに重複当籤する。
【００６５】
図９（１）は、リプレイタイム（以下、「ＲＴ」と略記する）１作動中用内部抽籤テーブルを示す。本実施の形態では、ＲＴとしてＲＴ１とＲＴ２の２種類を規定している。ＲＴ１は、ＢＢ１の終了から、ＢＢ１若しくはＢＢ２の成立又はＳＢ１若しくはＳＢ２の作動で終了するＲＴであり、ＲＴ２は、ＢＢ１又はＢＢ２が成立してから入賞するまでのいわゆるボーナスフラグ間に作動するＲＴである。
【００６６】
ＲＴ１作動中用内部抽籤テーブルは、ＲＴ１の作動中に使用する内部抽籤テーブルである。図９（１）は、前述の設定値につき全設定値共通の内部抽籤テーブルであり、ＲＴ１中でのメダルの投入枚数は３となる。一般遊技状態用内部抽籤テーブルでは当籤番号１の抽籤値は「８９６４」に規定されているのに対し、ＲＴ１作動中用内部抽籤テーブルでは当籤番号１の抽籤値はこれよりも相当大きい「４３６９０」に規定されている。即ち、ＲＴ１作動中用内部抽籤テーブルでは、一般遊技状態用内部抽籤テーブルと比べて、当籤番号１の小役・リプレイ用データポインタ１（後述のリプレイに内部当籤する場合である）の当籤確率が相当高い構成となっている。すなわち、ＲＴ１作動中用内部抽籤テーブルでは、約３回に２回はリプレイに内部当籤する。図９において、当籤番号２〜８については一般遊技状態用内部抽籤テーブルと同一の構成であるため、図示を省略している。このように、ＲＴ１作動中は、再遊技の作動に係るリプレイの当籤確率が非常に高くなるので、一般遊技状態中において同じ回数の単位遊技が行われる場合と比べて、メダルの消費を抑えることが可能となる。
【００６７】
図９（１）は、ＲＴ２作動中用内部抽籤テーブルを示す。図９（１）は、前述の設定値が１の場合の内部抽籤テーブルであり、メダルの投入枚数は３となる。ＲＴ２作動中用内部抽籤テーブルでは当籤番号１の抽籤値は一般遊技状態より大きいが、ＲＴ１より小さい「２１８４５」に規定されている。即ち、ＲＴ２作動中用内部抽籤テーブルでは、一般遊技状態用内部抽籤テーブルと比べて、当籤番号１の小役・リプレイ用データポインタ１（後述のリプレイに内部当籤する場合である）の当籤確率が高いが、ＲＴ１作動中用内部抽籤テーブルより低い構成となっている。ＲＴ２作動中用内部抽籤テーブルにかかるＲＴ２は、いわゆるボーナスフラグ間ＲＴ（ボーナス成立でＲＴ２に突入するボーナスが内部当籤役として決定されてからボーナスにかかる図柄の組み合わせが表示されるまでの間のＲＴ）であるため、ボーナスゲームの抽籤は行なわない。
【００６８】
図１０は、ＳＢ遊技状態用内部抽籤テーブルを示す。ＳＢ遊技状態は、ＳＢ１又はＳＢ２が作動しているときの遊技状態である。ＳＢ遊技状態用内部抽籤テーブルは、当籤番号２，３の当選確率がわずかに高い他は一般遊技状態用内部抽籤テーブルと共通である。すなわち、ＳＢ遊技状態では、当籤番号２，３（小役・リプレイ用データポインタ２，３）の白チェリー、黒チェリーの小役の当選確率がわずかに高い。
【００６９】
ここで、各内部抽籤テーブルにおいて、所定の当籤番号に当籤することで１つの小役・リプレイ用のデータポインタが決定したときに、当該小役・リプレイ用のデータポインタで複数種類の小役（又はリプレイ）に内部当籤しうる構成とすることで、複数種類の小役（又はリプレイ）の同時当籤も可能としている。本実施の形態では、後述のとおり、小役・リプレイ用データポインタの５で白チェリーと黒チェリーとの同時当籤を可能としている。これにより遊技者が期待を抱く機会を多く提供すること等が可能となり、遊技の興趣を向上させることができる。
【００７０】
次に、図１１、図１２を参照して、主制御回路７１の内部当籤役決定テーブルについて説明する。
【００７１】
内部当籤役決定テーブルとしては、図１２に示す小役・リプレイ用内部当籤役決定テーブルと、図１３に示すボーナス用内部当籤役決定テーブルとが用意されている。これらの内部当籤役決定テーブルでは、前述の小役・リプレイ用やボーナス用のデータポインタと、当たり要求フラグのデータとが関連付けて規定されている。当たり要求フラグは、内部当籤役を特定するための識別子である。
【００７２】
小役・リプレイ用内部当籤役決定テーブルにおいて、例えば、小役・リプレイ用データポインタが「１」のときは、再遊技の作動にかかるリプレイが内部当籤役となり、小役・リプレイ用データポインタが「２」のときは、白チェリーが内部当籤役となり、小役・リプレイ用データポインタが「５」のときは、白チェリー、黒チェリーが重複して内部当籤役となる。小役・リプレイ用データポインタが「０」のときは、何れの役にも内部当籤せず、「ハズレ」となる。
【００７３】
ボーナス用内部当籤役決定テーブルにおいては、ボーナス用データポインタの「１」、〜「３」にそれぞれ対応して「ＢＢ１」、「ＢＢ２」、「ＭＢ」、「ＳＢ１」、「ＳＢ２」の５種類のボーナスが規定されている。ボーナス用データポインタの「０」は「ハズレ」であり、いずれのボーナスにも内部当籤しない。
【００７４】
次に、図１３を参照して、主制御回路７１の図柄組合せテーブルについて説明する。
【００７５】
図柄組合せテーブルでは、特典の付与に係る図柄の組合せと、これに対応する表示役と、格納領域種別及びメダルの払出枚数とが規定されている。表示役は、図柄表示領域２１Ｌ，２１Ｃ，２１Ｒに表示される図柄の組合せの種別を識別するためのデータである。
【００７６】
左リール３Ｌに白チェリー、中リール３ＣにＡＮＹ（「ＡＮＹ」はいかなる図柄も許容する意味である。以下同様。）、右リール３ＲにＡＮＹが表示されると、表示役が白チェリーと決定される。白チェリーに対応するメダルの払出枚数はメダルの投入枚数が２枚のときに８枚、３枚のときに１５枚である。左リール３Ｌに黒チェリー、中リール３ＣにＡＮＹ、右リール３ＲにＡＮＹが表示されると、表示役が黒チェリーと決定される。黒チェリーに対応するメダルの払出枚数はメダルの投入枚数が２枚のときに８枚、３枚のときに１５枚である。以下同様に、図柄組合せテーブルでは、特典の付与に係る図柄の組合せと、これに対応する表示役、格納領域種別及び払出枚数とが規定されている。図柄表示領域２１Ｌ，２１Ｃ，２１Ｒに「スイカ‐スイカ‐スイカ」が順次有効ラインに沿って表示されると、小役のスイカが表示役として決定される。
【００７７】
小役の黒チェリーと白チェリーについては、図５の図柄配置停止テーブルに示す図柄配置と停止制御とにより、停止開始位置によっては当該小役について図柄組み合わせテーブルに規定している図柄の組み合わせを有効ライン上に停止できない場合がありうる。また、図５の図柄配置停止テーブルに示す図柄配置により、小役の黒チェリーと白チェリーとは同時に表示役となることはない。すなわち、本実施の形態では、停止操作がなされたときに、各リール３Ｌ，３Ｃ，３Ｒは、停止開始位置から０〜４コマの範囲ですべるが、各リール３Ｌ，３Ｃ，３Ｒの図柄配置（図５参照）は、停止操作のタイミングによっては黒チェリーや白チェリーの小役にかかる図柄を有効ライン上に停止できない場合のあるものとなっている。また、黒チェリーの小役と白チェリーの小役とが同時に有効ライン上に表示されることもない図柄配置となっている。小役の黒チェリーと白チェリーは、メダルの払い出し枚数が最も多い小役である。
【００７８】
リプレイに入賞すると、次回のゲームにおいて再遊技が行われる。即ち、これらが表示役として決定されたゲームにおける投入枚数と同数のメダルが、次回のゲームにおいて、遊技者による投入操作に基づかずに、自動的に投入される。これにより、遊技者はメダルを消費することなく次回のゲームを行うことができる。
【００７９】
図柄表示領域２１Ｌ，２１Ｃ，２１Ｒに「青７‐青７‐青７」が順次有効ラインに沿って表示されると、表示役がＢＢ１と決定される。ＢＢ１が決定された場合には、ＢＢ１のボーナスゲームの作動が開始される。図柄表示領域２１Ｌ，２１Ｃ，２１Ｒに「青７‐青７‐白７」が順次有効ラインに沿って表示されると、表示役がＢＢ２と決定される。ＢＢ２が決定された場合には、ＢＢ２のボーナスゲームの作動が開始される。図柄表示領域２１Ｌ，２１Ｃ，２１Ｒに「ＪＡＣ‐ＪＡＣ‐ＪＡＣ」が順次有効ラインに沿って表示されると、表示役がＭＢと決定される。ＭＢが決定された場合には、ＭＢのボーナスゲームの作動が開始される。図柄表示領域２１Ｌ，２１Ｃ，２１Ｒに「ＪＡＣ‐ＪＡＣ‐青７」が順次有効ラインに沿って表示されると、表示役がＳＢ１と決定される。ＳＢ１が決定された場合には、ＳＢ１のボーナスゲームの作動が開始される。図柄表示領域２１Ｌ，２１Ｃ，２１Ｒに「ＪＡＣ‐ＪＡＣ‐白７」が順次有効ラインに沿って表示されると、表示役がＳＢ２と決定される。ＳＢ２が決定された場合には、ＳＢ２のボーナスゲームの作動が開始される。
【００８０】
なお、図柄表示領域２１Ｌ，２１Ｃ，２１Ｒにより表示される図柄の組合せが前述の図柄組合せテーブルに規定された図柄の組合せの何れにも該当しない場合には、表示役がハズレと決定される。
【００８１】
次に、図１４を参照して、ボーナス作動時テーブルについて説明する。
【００８２】
ボーナス作動時テーブルには、ボーナスゲームの作動の開始時に、ＲＡＭ３３の所定領域に格納されるデータが規定されている。ＲＢの作動時には、後述のＲＡＭ３３の作動中フラグ格納領域におけるＲＢ作動中フラグがオンされ、遊技可能回数カウンタに１２が格納され、入賞可能回数カウンタに８が格納される。遊技可能回数カウンタは、ＲＢ作動中において行われた単位遊技の回数を計数するためのデータである。入賞可能回数カウンタは、ＲＢ作動中において入賞が決定された（例えば、メダルの払い出しに係る表示役が決定された）回数を計数するためのデータである。
【００８３】
ＢＢ１の作動時には、後述のＲＡＭ３３の作動中フラグ格納領域におけるＢＢ１作動中フラグがオンされ、ボーナス終了枚数カウンタに３４５が格納される。同じく、ＢＢ２の作動時には、後述のＲＡＭ３３の作動中フラグ格納領域におけるＢＢ２作動中フラグがオンされ、ボーナス終了枚数カウンタに３４５が格納される。
【００８４】
ＭＢの作動時には、後述のＲＡＭ３３の作動中フラグ格納領域におけるＭＢ作動中フラグがオンされ、ボーナス終了枚数カウンタに１００が格納される。ボーナス終了枚数カウンタは、ＭＢの作動中におけるメダルの払出枚数の総数を管理するためのカウンタである。
【００８５】
ＳＢ１の作動時には、ＳＢ１作動中フラグがオンされ、遊技可能回数カウンタに１が格納され、入賞可能回数カウンタに１が格納される。同じくＳＢ２の作動時には、ＳＢ２作動中フラグがオンされ、遊技可能回数カウンタに１が格納され、入賞可能回数カウンタに１が格納される。
【００８６】
次に、図１５を参照して、主制御回路７１のＲＡＭ３３の内部当籤役格納領域の構成について説明する。
【００８７】
内部当籤役格納領域は、図１５の（１）（２）に示す内部当籤役１格納領域、内部当籤役２格納領域に分かれ、この内部当籤役１格納領域、内部当籤役２格納領域は、それぞれ前述の内部当籤役決定テーブルの当たり要求フラグのデータに対応している。内部当籤役が決定されると、各内部当籤役格納領域に記憶される。
【００８８】
また、主制御回路７１のＲＡＭ３３には、表示役のデータを格納する表示役格納領域も格納されている。この表示役格納領域の構成は図１６に示す内部当籤役格納領域と同様であり、同じく表示役１格納領域、表示役２格納領域に分かれている。
【００８９】
次に、図１６を参照して、主制御回路７１のＲＡＭ３３の持越役格納領域の構成について説明する。
【００９０】
前述の内部当籤役決定テーブルによりボーナスゲームの作動に係る内部当籤役が決定されると、それを示す識別子（即ち、フラグ）が、この持越役格納領域に格納される。具体的に、ビット０、ビット１、ビット２の夫々は、ＢＢ１、ＢＢ２、ＭＢの夫々に対応している。また、持越役格納領域に格納された識別子は、ボーナスゲームの作動が開始されることによりクリアされる。即ち、ボーナスゲームの作動に係る内部当籤役が決定されると、そのボーナスゲームの作動が開始されるまでの間、その識別子が記憶される構成となっている（いわゆる「持ち越し」と称され、格納されている識別子は「持越役」と称される）。そして、持越役格納領域に識別子が格納されている間は、抽出される乱数値にかかわらず、その格納されている識別子が内部当籤役として決定されるようになっている。また、持越役は、内部当籤役に基づいて決定されることから、内部当籤役の下位概念とも言える。
【００９１】
次に、図１７を参照して、主制御回路７１のＲＡＭ３３の作動中フラグ格納領域の構成について説明する。
【００９２】
作動中フラグ格納領域には、現在作動中であるのが、ＢＢ１か、ＢＢ２か、ＭＢか、ＲＢか、ＲＴ１か、ＲＴ２か、ＳＢ１か、ＳＢ２かに応じて、その種別を示す識別子が格納される。具体的に、ビット０〜ビット６の夫々は、ＢＢ１作動中フラグ、ＢＢ２作動中フラグ、ＭＢ作動中フラグ、ＲＢ作動中フラグ、ＲＴ１作動中フラグ、ＲＴ２作動中フラグ、ＳＢ１作動中フラグ、のＳＢ２作動中フラグ夫々に対応している。
【００９３】
［主制御回路の制御動作について］
次に、図１８以下に示すフローチャートを参照して、主制御回路７１のＣＰＵ３１が行う制御について説明する。
【００９４】
先ず、図１８、図１９を参照して、主制御回路７１のＣＰＵ３１により行われるメイン処理について説明する。ＣＰＵ３１は、電源が投入され、リセット端子に電圧が印加されることにより、リセット割込を発生させ、そのリセット割込の発生に基づいて、ＲＯＭ３２に記憶されたリセット割込処理を順次行うように構成されている。
【００９５】
電源が投入されると、初めに、ＣＰＵ３１は、初期化処理を行う（ステップＳ１）。この処理では、電源遮断時にＲＡＭ３３に格納されたレジスタのデータや実行アドレスの復帰を行う処理などが行われる。また、この初期化処理では、設定スイッチ１９Ｓの入力のチェックが行われ、設定スイッチ１９Ｓがオンであると判別した場合には、設定値の変更が行われる。具体的には、リセットスイッチ２０Ｓ及びスタートスイッチ６Ｓの人力に基づいて、設定値「１」〜「６」のうちの何れかがＲＡＭ３３の設定値格納領域に格納される。次に、ＣＰＵ３１は、ＲＡＭ３３における指定格納領域のクリアを行う（ステップＳ２）。この処理では、ＲＡＭ３３の各種格納領域等に格納されたデータがクリアされる。
【００９６】
次に、ＣＰＵ３１は、後述するボーナス作動監視処理を行う（ステップＳ３）。次に、ＣＰＵ３１は、後述するメダル受付・スタートチェック処理を行う（ステップＳ４）。この処理では、投入メダルセンサ２２Ｓ及びベットスイッチ１１Ｓ、１２Ｓ、１３Ｓの入力のチェックに基づく投入枚数カウンタ等の更新や、スタートスイッチ６Ｓの入力のチェックが行われる。次に、ＣＰＵ３１は、乱数値を抽出し、乱数値格納領域に格納する（ステップＳ５）。この処理では、乱数発生器３６とサンプリング回路３７によって乱数値を抽出し、ＲＡＭ３３の乱数値格納領域に格納する。
【００９７】
次に、ＣＰＵ３１は、後述する内部抽籤処理を行う（ステップＳ６）。この処理では、抽籤により内部当籤役が決定される。次に、ＣＰＵ３１は、スタートコマンドを副制御回路７２に対して送信する（ステップＳ７）。スタートコマンドには、内部当籤役や遊技状態などのデータが含まれている。
【００９８】
次に、ＣＰＵ３１は、全リールの回転回始を要求する（ステップＳ８）。尚、全リールの回転開始が要求されると、後述する割込処理においてリール３Ｌ、３Ｃ、３Ｒの回転を開始する処理が行われる。次に、ＣＰＵ３１は、後述するリール停止制御処理を行う（ステップＳ９）。この処理では、全てのリール３Ｌ、３Ｃ、３Ｒの回転を停止する処理が行われる。
【００９９】
次に、ＣＰＵ３１は、図柄組合せテーブルを参照し、有効ラインに沿って表示される図柄の組合せに基づいて表示役等を決定する処理を行う（ステップＳ１０）。この処理では、図柄組合せテーブルに規定されている図柄の組合せと図柄表示領域２１Ｌ，２１Ｃ，２１Ｒに表示される図柄の組合せ（有効ライン８ａ〜８ｃのいずれかに沿って並ぶ３個の図柄の組合せ）とが比較され、一致するか否かが判別される。そして、一致するときには、該当する表示役及びメダルの払出枚数が決定され、各表示役格納領域及び払出枚数カウンタが更新される。また、一致しないときには、各表示役格納領域に格納されるデータが「０」となり、表示役はハズレとなる。このようにして、停止制御により全てのリールの回転が停止されると、図柄表示領域２１Ｌ，２１Ｃ，２１Ｒに表示される図柄の組合せに基づいて、入賞か否かが決定され、遊技者に対して特典の付与が行われる。
【０１００】
次に、ＣＰＵ３１は、表示コマンドを副制御回路７２に対して送信する（ステップＳ１１）。表示コマンドには、決定された表示役などのデータが含まれている。次に、ＣＰＵ３１は、メダル払出処理を行う（ステップＳ１２）。この処理では、払出枚数カウンタに基づいて、ホッパー４０の制御やクレジットカウンタの更新が行われる。次に、ＣＰＵ３１は、払出枚数に基づいて、ボーナス終了枚数カウンタを更新する（ステップＳ１３）。この処理では、ボーナス終了枚数カウンタが１以上であることを条件に、当該カウンタから払出枚数に応じた値が減算される。
【０１０１】
次に、ＣＰＵ３１は、ＲＢ作動中フラグ、ＳＢ１作動中フラグ又はＳＢ２作動中フラグがオンであるか否かを判別する（ステップＳ１４）。ＣＰＵ３１は、ＲＢ作動中フラグ、ＳＢ１作動中フラグ又はＳＢ２作動中フラグのうちの何れかがオンであると判別したときには、後述するボーナス終了チェック処理を行う（ステップＳ１５）。この処理では、ボーナスゲームの作動時にＲＡＭ３３に格納される各種カウンタが０に更新されたか否かの判別に基づいて、ボーナスゲームの作動を終了する処理が行われる。ＣＰＵ３１は、ＲＢ作動中フラグ、ＳＢ１作動中フラグ及びＳＢ２作動中フラグがオフであったときには、後述するボーナス作動チェック処理を行う（ステップＳ１６）。この処理では、決定された表示役の種別に基づいて、ボーナスの作動を開始する処理が行われる。そして、以上の処理の後、ステップＳ２に戻る。
【０１０２】
次に、図２０を参照してボーナス作動監視処理（ステップＳ３）について説明する。
【０１０３】
まず、ＣＰＵ３１は、ＲＢ作動中フラグがオンで、ＲＢが作動中であるか否かを判断する（ステップＳ２１）。ＲＢ作動中フラグがオンで、ＲＢが作動中であるときは、ボーナス作動時テーブル（図１４）に基づいてＲＢを作動させるＲＢ作動時処理を行う（ステップＳ２２）。また、ＲＢ作動中フラグがオフであるときは、ＳＢ１作動中フラグ又はＳＢ２作動中フラグがオンで、ＳＢ１又はＳＢ２が作動中であるか否かを判断する（ステップＳ２３）。ＳＢ１作動中フラグ又はＳＢ２作動中フラグがオンで、ＳＢ１又はＳＢ２が作動中であるときは、ボーナス作動時テーブルに基づいて当該ＳＢ１又はＳＢ２を作動させるＳＢ作動時処理を行う（ステップＳ２４）。
【０１０４】
次に、図２１を参照して、メダル受付・スタートチェック処理（ステップＳ４）について説明する。
【０１０５】
初めに、ＣＰＵ３１は、自動投入カウンタは０であるか否かを判別する（ステップＳ３１）。自動投入カウンタはメダルを自動投入する枚数を管理するカウンタである。ＣＰＵ３１は、自動投入カウンタは０ではないと判別したときには、自動投入カウンタの値を投入枚数カウンタに複写し、自動投入カウンタの値をクリアする（ステップＳ３３）。投入枚数カウンタはメダルの投入枚数を管理するカウンタである。一方、ＣＰＵ３１は、自動投入カウンタは０であると判別したときには、遊技者が投入するメダルの通過許可を行う（ステップＳ３２）。
【０１０６】
次に、ＣＰＵ３１は、メダルが通過したか否かを判別する（ステップＳ３４）。具体的には、投入メダルセンサ２２Ｓがオンである場合に、メダルが通過したと判別される。ＣＰＵ３１は、メダルが通過したと判別したときには、作動中フラグ格納領域（図１７）に格納されているフラグに応じてメダルの投入枚数の最大値をセットする（ステップＳ３５）。そして、投入枚数カウンタは最大値であるか否かを判別する（ステップＳ３６）。ＣＰＵ３１は、投入枚数カウンタは最大値ではないと判別したときには、投入枚数カウンタに１を加算する（ステップＳ３７）。次に、ＣＰＵ３１は、有効ラインカウンタに５を格納する（ステップＳ３８）。有効ラインカウンタは有効化された表示ラインの数を保持するカウンタである。よって、５つ全ての表示ラインが有効化される。次に、ＣＰＵ３１は、メダル投入コマンドを副制御回路７２に対して送信する（ステップＳ３９）。メダル投入コマンドは、メダルの投入枚数のデータ等が含まれる。一方、ＣＰＵ３１は、ステップＳ４９において投入枚数カウンタは最大値であると判別したときには、クレジットカウンタに１加算する（ステップＳ４０）。クレジットカウンタは、クレジットされるメダルの枚数を計数するカウンタである。
【０１０７】
ＣＰＵ３１は、クレジットカウンタに１加算したとき（ステップＳ４０）、メダル投入コマンドを送信したとき（ステップＳ３９）、又はメダルが通過しなかったときに（ステップＳ３４のＮ）、メダルの通過途中でなければ（ステップＳ４１のＮ）、ベットスイッチのチェックを行う（ステップＳ４２）。具体的には、ベットスイッチ１１Ｓ、１２Ｓ、１３Ｓがオンである場合は、その種別が特定され、投入枚数カウンタ、クレジットカウンタ及び投入枚数カウンタの最大値に基づいて、投入枚数カウンタに加算する値が算出され、投入枚数カウンタが更新される。
【０１０８】
次に、ＣＰＵ３１は、投入枚数カウンタが最大値であるか否かを判別する（ステップＳ４３）。ＣＰＵ３１は、投入枚数カウンタが最大値ではないと判別したときには、ステップＳ３４に戻る。ＣＰＵ３１は、投入枚数カウンタが最大値であると判別したときには、スタートスイッチ６Ｓはオンであるか否かを判別する（ステップＳ４４）。ＣＰＵ３１は、スタートスイッチ６Ｓはオンではないと判別したときには、ステップＳ３４に戻る。ＣＰＵ３１は、スタートスイッチ６Ｓはオンであると判別したときには、遊技者の投入するメダルの通過を禁止し（ステップＳ４５）、メダル受付・スタートチェック処理を終了する。
【０１０９】
次に、図２２、図２３を参照して、内部抽籤処理（ステップＳ６）について説明する。
【０１１０】
まず、ＣＰＵ３１は、内部抽籤テーブル決定テーブル（図６）に基づいて、内部抽籤テーブルの種別と抽籤回数を決定する（ステップＳ６１）。次に、ＣＰＵ３１は、内部抽籤テーブル変更処理を行う（ステップＳ６２）。
【０１１１】
ここで、図２４を参照して内部抽籤テーブル変更処理（ステップＳ６２）について説明する。
【０１１２】
まず、ＣＰＵ３１は、ＲＴ１作動中フラグがオンで、ＲＴ１が作動しているか否かを判断する（ステップＳ１２１）。ＲＴ１作動中フラグがオンであるときは、内部抽籤テーブルをＲＴ１作動中用内部抽籤テーブル（図９（１））に変更する（ステップＳ１２２）。ＲＴ１作動中フラグがオフで、ＲＴ１が作動していないときは、ＲＴ２作動中フラグがオンか否かを判断する（ステップＳ１２３）。ＲＴ２作動中フラグがオンであるときは、内部抽籤テーブルをＲＴ２作動中用内部抽籤テーブル（図９（２））に変更する（ステップＳ１２４）。ＲＴ２作動中フラグがオフで、ＲＴ２も作動していないときは、ＳＢ１作動中フラグ又はＳＢ２作動中フラグがオンで、ＳＢ１又はＳＢ２が作動中であるか否かを判断する（ステップＳ１２５）。ＳＢ１作動中フラグ又はＳＢ２作動中フラグがオンで、ＳＢ１又はＳＢ２が作動中であるときは、内部抽籤テーブルをＳＢ作動中用内部抽籤テーブル（図１０）に変更する（ステップＳ１２６）。
【０１１３】
図２２に戻り、以上の内部抽籤テーブル変更処理（ステップＳ６２）の後に持越役格納領域の値が０か否か、すなわち持越役がないか否かを判断する（ステップＳ６３）。持越役格納領域の値が０でなく、持越役が存在するときは抽籤回数を５に変更する（ステップＳ６４）。
【０１１４】
次に、乱数値格納領域に格納されている抽出された乱数値（ステップＳ５で格納）を判定用乱数値としてセットし、当籤番号の初期値として１をセットする（ステップＳ６５）。そして、内部抽籤テーブル（図７〜図１１）を参照して、当籤番号に基づいた抽籤値を取得する（ステップＳ６６）。そして、判定用乱数値から当該抽籤値を減算し、この減算により桁かりが行われたか否かを判断する（ステップＳ６７）。桁かりが行われたときはステップＳ７１に進み、桁かりが行われなかったときは、前述の当籤番号を「１」加算し、前述の抽籤回数を「１」減算し（ステップＳ６８）、これにより抽籤回数が０になったか否かを判断する（ステップＳ６９）。抽籤回数が０になっていないときはステップＳ６６に戻り、０になったときは小役・リプレイ用とボーナス用のデータポインタとして０をセットする（ステップＳ７０）
ステップＳ６６〜Ｓ６９の処理は、桁かりが行われるか（ステップＳ６７のＹ）、抽籤回数が０になるまで（ステップＳ６９のＹ）、繰り返される。この場合、２回目以降の処理では、乱数データからの抽籤値の減算（ステップＳ６７）は、前回の抽籤値の減算の結果の余りから更に抽籤値を減算するものとする。よって、元の乱数データはステップＳ６７の処理が繰り返されるたびに値が小さくなる。また、ステップＳ６６〜Ｓ６９の処理が繰り返されるたびに抽籤回数も１ずつ減少していくこととなる。
【０１１５】
桁かりが行われたときは、その桁かりが行われた当籤番号に対応する小役・リプレイ用とボーナス用のデータポインタを取得する（ステップＳ７１）。そして、内部当籤役１格納領域（図１６）のアドレスをセットし（ステップＳ７２）、小役・リプレイ用内部当籤役決定テーブルを参照し、取得した小役・リプレイ用のデータポインタに基づいて当たり要求フラグを取得する（ステップＳ７３）。次に、この取得した当たり要求フラグをステップＳ７２でアドレスがセットされている内部当籤役格納領域に格納する（ステップＳ７４）。
【０１１６】
次に、持越役格納領域（図１６）の値が０か否か、すなわち持越役が存在しないのか否かを判断する（ステップＳ７５）。そして、持越役格納領域の値が０で、ＢＢ１、ＢＢ２又はＭＢの持越役が存在しないときは、ボーナス用内部当籤役決定テーブル（図１２）を参照し、取得したボーナス用のデータポインタに基づいて当たり要求フラグを取得し、この取得した当たり要求フラグを持越役格納領域に格納する（ステップＳ７６）。すなわち、持越役格納領域のアドレスをセットして格納する。なお、ＳＢ１、ＳＢ２については持越役になることはなく、持越役格納領域に格納されることはない。
【０１１７】
そして、持越役格納領域（図１６）の値が０か否か、すなわち持越役が存在しないのか否かを判断し（ステップＳ７７）、持越役格納領域の値が０でなく、持越役が存在するときは、持越役格納領域に格納されている値が「０００００００１」又は「００００００１０」であるか否か、すなわち存在する持越役はＢＢ１又はＢＢ２であるか否かを判断する（ステップＳ７８）。持越役格納領域に格納されている値が「０００００００１」又は「００００００１０」で、存在する持越役はＢＢ１又はＢＢ２であるときは、ＲＴ２作動中フラグをＯＮにして、ＲＴ２を作動させる（ステップＳ７９）。このように、ＲＴ２は、ＢＢ１又はＢＢ２の成立により作動するボーナスフラグ間ＲＴである。持越役格納領域の値が０で、持越役が存在しないとき（ステップＳ７７のＹ）、又は、持越役格納領域に格納されている値が「０００００００１」及び「００００００１０」ではなく「０００００１００」であり、すなわち存在する持越役はＭＢであるときは（ステップＳ７８のＮ）、ステップＳ８０に進む。
【０１１８】
次に、図２５を参照してリール停止制御処理（ステップＳ９）について説明する。
【０１１９】
初めに、ＣＰＵ３１は、有効なストップボタンが押圧操作されたか否かを判別する（ステップＳ１０１）。有効なストップボタンが押圧操作されたときは、該当するストップボタン７Ｌ，７Ｃ又は７Ｒの押圧操作を無効化する（ステップＳ１０２）。そして、チェック回数として５をセットする（但し、内部当籤役がＭＢのときはチェック回数として２をセットする）（ステップＳ１０３）。そして、図柄カウンタに対応する図柄位置からの当該チェック回数の範囲内において、最も優先順位の高い図柄位置を検索する（ステップＳ１０４）。そして、この検索の結果に基づいて滑りコマ数を決定する（ステップＳ１０５）。
【０１２０】
次に、ＣＰＵ３１は、停止制御位置待ちに移行する（ステップＳ１０６）。例えば、決定された滑りコマ数が「２」であり、停止開始位置が「２０」であれば、停止制御位置が「１」に決定される。そして、停止制御位置が決定されると、後述する割込処理（図２８参照）において、当該停止制御位置に基づいて該当リールの回転を停止する処理が行われる。なお、滑りコマ数と停止制御位置は、一方が決定されれば、他方も決定される関係にあるため、等価の関係にあるといえる。そして、リールの停止がなされたことを報知するリール停止コマンドを副制御回路７２に送信し（ステップＳ１０７）、押圧操作が有効なストップボタンがあるか否かを判断する（ステップＳ１０８）。そして、押圧操作が有効なストップボタンがあれば、ステップＳ１０１に戻る。
【０１２１】
次に、図２６を参照して、ボーナス終了チェック処理（ステップＳ１５）について説明する。
【０１２２】
初めに、ＣＰＵ３１は、ＲＢ作動中フラグ、ＳＢ１作動中フラグ又はＳＢ２作動中フラグがオンで、ＲＢ遊技状態又はＳＢ遊技状態にあるか否かを判断する（ステップＳ１３１）。ＲＢ作動中フラグ、ＳＢ１作動中フラグ及びＳＢ２作動中フラグがオフで、ＲＢ遊技状態及びＳＢ遊技状態にないときは、ボーナス終了枚数カウンタが０か否かを判断する（ステップＳ１３２）。ボーナス終了枚数カウンタが０のときは、ＢＢ１、ＢＢ２又はＭＢの終了条件となる最大獲得メダル枚数に達している場合であるため、これらのボーナスゲームを終了させるＢＢ・ＭＢ終了時処理を行う（ステップＳ１３５）。具体的には、ＲＡＭ３３の前述の作動中フラグ格納領域におけるＭＢ作動中フラグ等のオフや、ボーナス終了枚数カウンタのクリアが行われる。
【０１２３】
また、ＲＢ作動中フラグ、ＳＢ１作動中フラグ又はＳＢ２作動中フラグがオンで、ＲＢ遊技状態又はＳＢ遊技状態にあるとき（ステップＳ１３１のＹ）と、ボーナス終了枚数カウンタが０でないとき（ステップＳ１３２のＮ）、すなわち、ＢＢ１又はＢＢ２の終了条件となる最大獲得メダル枚数に達していない場合には、入賞が成立したか否かを判別する（ステップＳ１３３）。ＣＰＵ３１は、入賞が成立したと判別したときには、ボーナス終了枚数カウンタは０であるか否かを判別する（ステップＳ１３４）。
【０１２４】
入賞の成立によるメダルの払出によりボーナス終了枚数カウンタは０になったときは、ＢＢ１，ＢＢ２、ＭＢの終了条件となるので、ＲＢ遊技状態又はＭＢ遊技状態を終了させるＲＢ・ＭＢ終了時処理を行う（ステップＳ１３５）。具体的には、ＲＡＭ３３の前述の作動中フラグ格納領域におけるＲＢ作動中フラグ等のオフや、入賞可能回数カウンタ及び遊技可能回数カウンタのクリアが行われる。このように、ＲＢ・ＭＢ終了時処理（ステップＳ１３５）を行ったときは、ＢＢ１の終了時であるか否かを判断する（ステップＳ１３６）。ＢＢ１が終了したときは、ＲＴ１作動中フラグをオンにセットし（ステップＳ１３７）、ＢＢ１の終了により開始し、回数制限がなく終了条件をＢＢ１又はＢＢ２の成立、又はＳＢ１、ＳＢ２の表示としているＲＴであるＲＴ１を作動させる。そして、副制御回路７２にボーナス終了コマンドを送信する（ステップＳ１３８）。
【０１２５】
一方、ボーナス終了枚数カウンタは０でなかったときは（ステップＳ１３４のＮ）、入賞可能回数カウンタを１減算する（ステップＳ１３９）。そして、ＲＢ、ＳＢ１、ＳＢ２の終了条件である入賞可能回数カウンタは０であるか否かを判別する（ステップＳ１４０）。入賞可能回数カウンタは０であるときは、ＳＢ・ＲＢ終了時処理を行ない（ステップＳ１４３）、ＲＢ、ＳＢ１、ＳＢ２を終了させる。そして、副制御回路７２にＲＢ、ＳＢ１、ＳＢ２の終了を報知するＳＢ・ＲＢ終了コマンドを送信する（ステップＳ１４４）。
【０１２６】
また、入賞可能回数カウンタは０でないとき（ステップＳ１４０のＮ）、あるいは、入賞が成立しなかったときは（ステップＳ１３３のＮ）、遊技可能回数カウンタを１減算し（ステップＳ１４１）、ＲＢ、ＳＢ１、ＳＢ２の終了条件である入賞可能回数カウンタが０であれば（ステップＳ１４０のＹ）、ＳＢ・ＲＢ終了時処理を行ない（ステップＳ１４３）、ＲＢ、ＳＢ１、ＳＢ２を終了させる。そして、副制御回路７２にＲＢ、ＳＢ１、ＳＢ２の終了を報知するＳＢ・ＲＢ終了コマンドを送信する（ステップＳ１４４）。
【０１２７】
次に、図２７を参照して、ボーナス作動チェック処理（ステップＳ１６）について説明する。
【０１２８】
初めに、ＣＰＵ３１は、表示役はＢＢ１、ＢＢ２又はＭＢであるか否かを判別する（ステップＳ１６１）。ＣＰＵ３１は、表示役はＢＢ１、ＢＢ２又はＭＢであると判別したときには、ボーナス作動時テーブル（図１４）に基づいてＢＢ・ＭＢ作動時処理を行ない（ステップＳ１６２）、ＢＢ又はＭＢを作動させる。そして、持越役格納領域（図１６）の値をクリアする（ステップＳ１６３）。そして、表示役がＢＢ１又はＢＢ２であるか否かを判断し（ステップＳ１６４）、表示役がＢＢ１又はＢＢ２であるときはＲＴ２作動中フラグをオフにセットし（ステップＳ１６５）、ＲＴ２の作動を終了する。次に、ＣＰＵ３１は、副制御回路７２にＢＢ１、ＢＢ２又はＭＢのボーナスゲームの開始を報知するボーナス開始コマンドを送信する（ステップＳ１６６）。
【０１２９】
一方、表示役がＭＢ、ＢＢ１又はＢＢ２でないときは、表示役がリプレイであるか否かを判断し（ステップＳ１６７）、表示役がリプレイであるときは、投入枚数カウンタの値を自動投入カウンタに複写する（ステップＳ１６８）。これにより、次のゲームではメダルを投入することなく遊技を行う再遊技を行うことができる。
【０１３０】
表示役がリプレイでもないときは、表示役はＳＢ１又はＳＢ２であるか否かを判断する（ステップＳ１６９）。表示役がＳＢ１又はＳＢ２であるときは、ボーナス作動時テーブル（図１４）に基づいてＳＢ作動時処理を行い（ステップＳ１７０）、ＳＢ１又はＳＢ２のボーナスゲームを作動させる。また、このときにＲＴ１作動中フラグがＯＮで、ＲＴ１が作動中であるか否かを判断する（ステップＳ１７１）。ＲＴ１作動中フラグがＯＮで、ＲＴ１が作動中であるときは、ＲＴ１作動中フラグをオフする（ステップＳ１７２）。すなわち、ＳＢ１又はＳＢ２のボーナスゲームの作動はＲＴ１の終了条件となる。
【０１３１】
次に、図２８を参照して、主制御回路７１のＣＰＵ３１の制御により行われる、１．１１７３ｍｓ周期の割込処理について説明する。
【０１３２】
初めに、ＣＰＵ３１は、レジスタの退避を行う（ステップＳ１９１）。次に、ＣＰＵ３１は、入力ポートチェック処理を行う（ステップＳ１９２）。具体的には、ＣＰＵ３１は、各スイッチなどからの信号の入力などをチェックする。次に、ＣＰＵ３１は、リール制御処理を行う（ステップＳ１９３）。具体的には、リールの回転開始要求がされた場合であれば、リール３Ｌ、３Ｃ、３Ｒの回転が開始され、一定速度での回転が行われる。また、停止制御位置が決定された場合であれば、該当リールの図柄カウンタが停止制御位置と同一の値に更新されるのを待って、その回転の減速及び停止が行われる。例えば、図柄カウンタが「０」であり、停止制御位置が「４」であれば、図柄カウンタが「４」に更新されたときにリールの回転が停止される。
【０１３３】
次に、ＣＰＵ３１は、ランプ・７ＳＥＧ駆動処理を行う（ステップＳ１９４）。具体的には、ＣＰＵ３１は、投入枚数カウンタに基づくベットランプ９ａ、９ｂ、９ｃの点灯や、情報表示部１８への払出枚数の表示などの処理を行う。次に、ＣＰＵ３１は、レジスタの復帰を行う（ステップＳ１９５）。この処理が終了すると、１．１１７３ｍｓ周期の割込処理を終了する。
【０１３４】
［副制御回路の制御動作について］
次に、副制御回路７２による制御動作について説明する。
【０１３５】
最初に、図２９を参照して、主基板通信タスクについて説明する。
【０１３６】
まず、画像制御マイコン２１２は、主制御回路７１からのコマンドの受信を行う（ステップＳ３０１）。そして、そのコマンドの種別を抽出する（ステップＳ３０２）。次に、このコマンドが前回受信したものと異なるものであるか否かを判断する（ステップＳ３０３）。受信したコマンドが前回と異なるものであるときは、当該コマンドの情報などのメッセージをワークＲＡＭ２１４のメッセージキューに格納して（ステップＳ３０４）、ステップＳ３０１に戻る。受信したコマンドが前回と同じものであったときも（ステップＳ３０３のＮ）、ステップＳ３０１に戻る。
【０１３７】
次に、図３０を参照して、演出登録タスクについて説明する。
【０１３８】
まず、画像制御マイコン２１２は、前述のメッセージキューに格納されているメッセージを取り出す（ステップＳ３２１）。このメッセージが有るときは（ステップＳ３２２のＹ）、当該メッセージから様々な遊技情報を複写し（ステップＳ３２３）、後述する演出内容決定処理を行う（ステップＳ３２４）。演出内容決定処理では、実行する演出の内容の決定などが行われる。
【０１３９】
そして、画像制御マイコン２１２は、アニメーションデータの登録を行う（ステップＳ３２５）。アニメーションデータは、演出を行うための演出データのうち、液晶表示装置５に表示する画像演出にかかる画像データであり、画像ＲＯＭ２２２に格納されている。ここでは、演出内容決定処理で決定するアニメーションデータが登録されていて、これにより、画像制御ＩＣ２２１は登録されたアニメーションデータに基づく画像演出を行う。また、画像制御マイコン２１２は、ＬＥＤデータ、サウンドデータの登録を行う（ステップＳ３２６）。ＬＥＤデータは、演出を行うための演出データのうち、ＬＥＤ１０１を発光させるランプ演出にかかる発光パターンデータであり、プログラムＲＯＭ２３３に格納されている。演出内容決定処理で決定したＬＥＤデータを登録することにより、音・ランプ制御マイコン２３２は、当該ＬＥＤデータの発光パターンによりＬＥＤ１０１を発光させる。また、サウンドデータは、演出を行うための演出データのうち、スピーカ２１Ｒ、２１Ｌから出音する音声演出にかかる音声データであり、音源ＲＯＭ２３５に格納されている。演出内容決定処理で決定したサウンドデータを登録することにより、音・ランプ制御マイコン２３２は、音源ＩＣ２３６によりスピーカ２１Ｒ、２１Ｌから出音する。
【０１４０】
次に、図３１を参照して、演出内容決定処理（ステップＳ３２４）について説明する。演出内容決定処理は、メッセージから複写した遊技情報に基づいて、実行する演出の内容を決定する処理である。
【０１４１】
まず、主制御回路７１からスタートレバー６が操作されたことを報知するスタートコマンドを受信していたときは（ステップＳ３４１のＹ）、後述する演出抽籤処理を行い、抽籤により演出を決定する（ステップＳ３４２）。リール３Ｌ、３Ｃ、３Ｒのいずれかが停止したことを報知するリール停止コマンドを受信していたときは（ステップＳ３４３のＹ）、当該リールの種別等に基づいて演出データをセットする等、停止コマンド受信時処理を行う（ステップＳ３４４）。また、表示役を報知する表示コマンドを受信していたときは（ステップＳ３４５のＹ）、その表示役等の種別に応じて演出データをセットする等、後述する表示コマンド受信時処理を行う（ステップＳ３４６）。
【０１４２】
ボーナスゲームを開始することを報知するボーナス開始コマンドを受信したときは（ステップＳ３４７のＹ）、そのボーナスゲームの種別（ボーナス開始コマンドにより報知される）に応じて、ボーナスゲーム開始の際に使用するボーナスゲーム開始時用の演出データをセットする（ステップＳ３４８）。そして、そのボーナスゲームの種別に応じて、ＲＢ作動状態（サブ）又はＭＢ作動状態（サブ）を副制御回路７２においてもワークＲＡＭ２１４にセットする（ステップＳ３４９）。ＲＢ作動状態（サブ）、ＭＢ作動状態（サブ）等は副制御回路７２においての作動状態等であり、その意味で“サブ”と付記している（以下、同様）。ＲＢ作動状態（サブ）はＲＢが作動していることを示し、ＭＢ作動状態（サブ）はＭＢが作動していることを示す。
【０１４３】
ボーナスゲームを終了することを報知するボーナス終了コマンドを受信したときは（ステップＳ３５０のＹ）、ボーナスゲーム終了の際に使用するボーナスゲーム終了時用の演出データをセットする（ステップＳ３５１）。そして、後述するボーナス終了時コマンド受信時処理を行い（ステップＳ３５２）、副制御回路７２における遊技状態を一般遊技状態（サブ）に変更する（ステップＳ３５３）。
【０１４４】
ＢＥＴスイッチ１１〜１３のいずれかを操作したことを報知するＢＥＴコマンドを受信したときは（ステップＳ３５４のＹ）、ＢＥＴ操作の際に使用する演出データをセットする等、ＢＥＴコマンド受信時処理を行う（ステップＳ３５５）。
【０１４５】
その他のコマンドを受信したときは（ステップＳ３５４のＮ）、当該コマンドに基づいて演出データをセットする（ステップＳ３５６）。
【０１４６】
次に、図３２を参照してボーナス終了時コマンド受信時処理（ステップＳ３５２）について説明する。
【０１４７】
まず、ボーナス終了コマンドにかかる終了ボーナスがＭＢか否かを判断する（ステップＳ３７１）。ＭＢであったときは、遊技状態はＲＴ１遊技状態（サブ）であって、ＲＴ１が作動中であるか否かを判断する（ステップＳ３７２）。ＲＴ１が作動中であるときは、ナビポイントを１００付与する（ステップＳ３７３）。このように獲得したナビポイントはワークＲＡＭ２１４の所定領域に格納される。
【０１４８】
次に、図３３を参照して、演出抽籤処理について説明する。
【０１４９】
まず、副制御回路７２においてＲＢ遊技状態（サブ）であるか否かを判断し（ステップＳ３９１）、ＲＢ遊技状態（サブ）であればＲＢ遊技状態用演出テーブルを選択する（ステップＳ３９４）。ＲＢ遊技状態（サブ）でないときは、ＲＴ遊技状態（サブ）であるか否かを判断し（ステップＳ３９２）、ＲＴ遊技状態（サブ）であれば後述するＲＴ遊技状態中用演出テーブル選択処理を行う（ステップＳ３９３）。
【０１５０】
ここで図３４を参照して、このＲＴ遊技状態用演出テーブル選択処理（ステップＳ３９３）について説明する。
【０１５１】
まず、ＲＴ１遊技状態（サブ）にあるか否かを判断し（ステップＳ４１１）、ＲＴ１遊技状態（サブ）にあるときは、表示コマンド受信時処理（図３２）で付与されたナビポイントが１以上か否かを判断する（ステップＳ４１２）。ナビポイントが０であったときは、ＲＴ遊技状態中用演出テーブル決定処理を行う（ステップＳ４１７）。かかる処理ではＲＴ遊技状態中用演出テーブルが決定される。
【０１５２】
ナビポイントが１以上であったときは、当該ナビポイントから１を減算し（１ゲーム分の減算を意味する）（ステップＳ４１３）、内部当籤している当籤役がＳＢ１又はＳＢ２であるか否かを判断する（ステップＳ４１４）。当籤役がＳＢ１又はＳＢ２であるときは、当籤したＳＢ１又はＳＢ２に応じた演出内容を決定する（ステップＳ４１６）。当籤役がＳＢ１及びＳＢ２でないときは、その当籤した役に応じた演出内容を決定する（ステップＳ４１５）。また、ＲＴ１遊技状態（サブ）にないときは（ステップＳ４１１のＮ）、ＲＴ遊技状態用演出テーブルを決定する（ステップＳ４１７）。
【０１５３】
図３３に戻り、ＲＴ遊技状態（サブ）でないときは（ステップＳ３９２のＮ）、一般遊技状態中用演出テーブルを選択する（ステップＳ３９５）。
【０１５４】
次に、演出内容が決定されているか否かを判断する（ステップＳ３９６）。前述のステップＳ４１５，Ｓ４１６により演出内容が決定されていないときは、前述のとおり選択された演出テーブル（ステップＳ３９４，Ｓ３９５，Ｓ４１７）に基づいて演出の内容を決定する（ステップＳ４１６）。そして、前述のとおり決定された演出の内容に応じた演出データ（アニメーションデータ、ＬＥＤデータ、サウンドデータ）をセットする（ステップＳ４１７）。
【０１５５】
次に、具体的な演出の例について説明する。これらの例は、いずれもＲＴ１中に行われる演出の例である。これらの演出はナビポイントが１以上あるときに行われる。
【０１５６】
また、ステップＳ４１５の当籤した役に応じた演出内容の決定としては、例えば内部当籤役がスイカであれば、スイカに内部当籤していることを報知するような演出を行う（図３５）。また、内部当籤役がリプレイであれば、リプレイに内部当籤していることを報知するような演出を行う（図３６）。このように、ナビポイントが１以上あれば、小役などの内部当籤を報知してもらうことができる。
【０１５７】
また、図３７、図３８は、ＳＢ１又はＳＢ２に内部当籤役したときの演出表示領域２３の表示例を示している。ＳＢ１が内部当籤役のときはＳＢ１の図柄を揃えないように、遊技者に報知され（図３７）、ＳＢ２が内部当籤役のときはＳＢ２の図柄を揃えないように、遊技者に報知される（図３８）。これらは、ステップＳ４１６による演出である。
【０１５８】
なお、図３５以下の各例においては、説明の便宜上、演出による報知の手法が直接的で明確であるものの例を示しているが、報知の内容をこれらより間接的、暗示的なものとしてもよい。
【０１５９】
以上説明した遊技機１によれば、再遊技作動の確率が高いため遊技者にとって有利な状態であるＲＴ１は、ＳＢ１又はＳＢ２に入賞することにより終了する（図３９）（ステップＳ１６９〜Ｓ１７２）。しかし、ＲＴ１中にＭＢのボーナスゲームが終了すれば（ステップＳ３７１，Ｓ３７２）、当該ＲＴ１中にＳＢ１又はＳＢ２に内部当籤している事実を報知してもらうことができるので（ステップＳ４１６、図３５、図３６）、遊技者はＲＴ１がＳＢ１又はＳＢ２の入賞により終了することを防止することができる。このように、遊技者にとって有利なＲＴ１の終了を回避するための権利の付与を、ＲＴ１に移行してからも行うことができるので、ＲＴ１中の遊技の単調さを解消し、遊技の興趣をさらに高めることができる。
【０１６０】
また、ＲＴ１中に、前述のとおりボーナスフラグ間がなく内部当籤すれば必ず作動するＭＢの作動によって（ステップＳ３７１）、当該ＲＴ１中の内部当籤役を報知する権利が付与されるので、ＲＴ１中にＭＢが作動すればメダルを増やすことができる特典が得られることによりＲＴ１中のＭＢの作動の楽しみが増えて、ＲＴ１の遊技の単調さを解消し、遊技の興趣をさらに高めることができる。
【０１６１】
なお、前述の例ではゲーム数により内部当籤役の報知の回数を全て管理しているが、所定のゲーム数（例えば２０ゲーム）を１セットとし、この所定のゲーム数ごとに継続抽籤を行うようにしてもよい。すなわち、２０ゲーム消化したら継続抽籤し、当該抽籤に当籤した場合のみ次の２０ゲームの間報知を行なう、という処理を繰り返すものである。この場合は、副制御回路７２の内部状態等に応じて継続抽籤による継続率を変化させるようにしてもよい。
【０１６２】
また、報知のための継続抽籤をＳＢ１やＳＢ２の成立ごとに行うようにしてもよく、この場合にも副制御回路７２の内部状態等に応じて継続抽籤による継続率を変化させるようにしてもよい。
【０１６３】
さらに、ナビポイントの付与によりステップＳ４１５で遊技者に報知されるのはストップボタン７Ｌ，７Ｃ，７Ｒの押し順とし、その報知内容のとおりの押し順でストップボタン７Ｌ，７Ｃ，７Ｒを操作することにより遊技者に利益を付与するようにしてもよい。
【図面の簡単な説明】
【０１６４】
【図１】本発明の一実施形態である遊技機の外観斜視図である。
【図２】遊技機の各表示部の平面図である。
【図３】遊技機の電気的な接続を示すブロック図である。
【図４】遊技機の副制御回路の電気的な接続を示すブロック図である。
【図５】図柄配置テーブルの説明図である。
【図６】内部抽籤テーブル決定テーブルの説明図である。
【図７】一般遊技状態用内部抽籤テーブルの説明図である。
【図８】ＲＢ遊技状態用内部抽籤テーブルの説明図である。
【図９】ＲＴ１作動中用内部抽籤テーブルの説明図である。
【図１０】ＲＴ２作動中用内部抽籤テーブルの説明図である。
【図１１】小役・リプレイ用内部当籤役決定テーブルの説明図である。
【図１２】ボーナス用内部当籤役決定テーブルの説明図である。
【図１３】図柄組み合わせテーブルの説明図である。
【図１４】ボーナス作動時テーブルの説明図である。
【図１５】内部当籤役（表示役）格納領域の説明図である。
【図１６】持越役格納領域の説明図である。
【図１７】作動中フラグ格納領域の説明図である。
【図１８】メインＣＰＵの制御によるメインフローチャートである。
【図１９】メインＣＰＵの制御によるメインフローチャートである。
【図２０】ボーナス作動監視処理のフローチャートである。
【図２１】メダル受付・スタートチェック処理のフローチャートである。
【図２２】内部抽籤処理のフローチャートである。
【図２３】内部抽籤処理のフローチャートである。
【図２４】内部抽籤テーブル変更処理のフローチャートである。
【図２５】リール停止制御処理のフローチャートである。
【図２６】ボーナス終了チェック処理のフローチャートである。
【図２７】ボーナス作動チェック処理のフローチャートである。
【図２８】メインＣＰＵの制御による割込処理のフローチャートである。
【図２９】主基板通信タスクのフローチャートである。
【図３０】演出登録タスクのフローチャートである。
【図３１】演出内容決定処理のフローチャートである。
【図３２】ボーナス終了コマンド受信時処理のフローチャートである。
【図３３】演出抽籤処理のフローチャートである。
【図３４】ＲＴ遊技状態用演出テーブル選択処理のフローチャートである。
【図３５】演出による報知について説明する説明図である。
【図３６】演出による報知について説明する説明図である。
【図３７】演出による報知について説明する説明図である。
【図３８】演出による報知について説明する説明図である。
【図３９】本実施の形態の遊技機における状態遷移図である。
【符号の説明】
【０１６５】
１    遊技機
３Ｌ，３Ｃ，３Ｒ    リール
８ａ〜８ｅ    表示ライン
【図１】
2009072334.tif 000003
【図２】
2009072334.tif 000004
【図３】
2009072334.tif 000005
【図４】
2009072334.tif 000006
【図５】
2009072334.tif 000007
【図６】
2009072334.tif 000008
【図７】
2009072334.tif 000009
【図８】
2009072334.tif 000010
【図９】
2009072334.tif 000011
【図１０】
2009072334.tif 000012
【図１１】
2009072334.tif 000013
【図１２】
2009072334.tif 000014
【図１３】
2009072334.tif 000015
【図１４】
2009072334.tif 000016
【図１５】
2009072334.tif 000017
【図１６】
2009072334.tif 000018
【図１７】
2009072334.tif 000019
【図１８】
2009072334.tif 000020
【図１９】
2009072334.tif 000021
【図２０】
2009072334.tif 000022
【図２１】
2009072334.tif 000023
【図２２】
2009072334.tif 000024
【図２３】
2009072334.tif 000025
【図２４】
2009072334.tif 000026
【図２５】
2009072334.tif 000027
【図２６】
2009072334.tif 000028
【図２７】
2009072334.tif 000029
【図２８】
2009072334.tif 000030
【図２９】
2009072334.tif 000031
【図３０】
2009072334.tif 000032
【図３１】
2009072334.tif 000033
【図３２】
2009072334.tif 000034
【図３３】
2009072334.tif 000035
【図３４】
2009072334.tif 000036
【図３５】
2009072334.tif 000037
【図３６】
2009072334.tif 000038
【図３７】
2009072334.tif 000039
【図３８】
2009072334.tif 000040
【図３９】
2009072334.tif 000041